(57)【要約】【課題】装着時においてマスク本体部の側部と顔面との密着性を高めることができるマスクを提供する。【解決手段】横方向にプリーツ４の加工が施されたマスク本体部２と、マスク本体部２の横方向の両端部２ａ，２ａそれぞれに取り付けられる線状又は帯状の耳掛け部材３と、を備え、耳掛け部材３の一端部３ａ及び他端部３ｂは、装着時において当該耳掛け部材３による引張力Ｆがマスク本体部２の縦方向外側に作用するような所定間隔Ｌ１で取り付けられて構成される。【選択図】図１
2011182810.tif 000002
【特許請求の範囲】
【請求項１】
横方向にプリーツ加工が施されたマスク本体部と、
前記マスク本体部の横方向の両端部それぞれに取り付けられる線状又は帯状の耳掛け部材と、
を備え、
前記耳掛け部材の一端部及び他端部は、装着時において当該耳掛け部材による引張力が前記マスク本体部の縦方向外側に作用するような所定間隔で取り付けられること、
を特徴とするマスク。
【請求項２】
前記耳掛け部材の一端部及び他端部は、装着時において装着者の耳の上付け根から当該耳掛け部材の一端部までの上部耳掛け部と装着者の耳の下付け根から当該耳掛け部材の他端部までの下部耳掛け部との間隔が前記マスク本体部に近づくにつれて小さくなる前記所定間隔で取り付けられること、
を特徴とする請求項１に記載のマスク。
【請求項３】
横方向にプリーツ加工が施されたマスク本体部と、
前記マスク本体部の横方向の両端部それぞれに取り付けられる線状又は帯状の耳掛け部材と、
を備え、
前記耳掛け部材の一端部及び他端部は、前記マスク本体部の縦方向の両端部間よりも短い所定間隔で取り付けられること、
を特徴とするマスク。
【請求項４】
前記所定間隔は、装着者の耳の上下付け根の間の長さと同一、又は装着者の耳の上下付け根の間の長さよりも短いことを特徴とする請求項１〜３の何れか一項に記載のマスク。
【請求項５】
前記所定間隔は、５ｃｍ以下である請求項１〜４の何れか一項に記載のマスク。
【請求項６】
前記マスク本体部は、長方形の角部を斜めに切り取った六角形状のシート部材であることを特徴とする請求項１〜５の何れか一項に記載のマスク。
【請求項７】
前記マスク本体部は、長方形の角部を斜めに曲線的に切り取ったシート部材であることを特徴とする請求項１〜５の何れか一項に記載のマスク。
【発明の詳細な説明】
【技術分野】
【０００１】
本発明は、マスクに関するものである。
【背景技術】
【０００２】
従来のマスクとして、口部及び鼻部を覆うマスク本体部に横方向のプリーツ加工（横プリーツ加工）が施されたマスクが知られている（例えば、特許文献１参照）。特許文献１記載のマスクは、略長方形のマスク本体部に横プリーツ加工が施されており、当該マスク本体部の左右両端部の中央部に、応力逃げ部であるＶ字形の切込みが形成されている。装着時において、プリーツが縦方向に広がることによりマスクに立体感を生じさせ装着性が良好となるともに、応力逃げ部がマスク本体部側部に発生する撓み応力を吸収するため、マスクと顔面との密着性が良好となる。
【先行技術文献】
【特許文献】
【０００３】
【特許文献１】特開２００８−５５０３５号公報
【発明の概要】
【発明が解決しようとする課題】
【０００４】
しかしながら、上述したような特許文献１記載のマスクにあっては、マスク本体側部に発生する応力を逃がすことはできても、応力の発生自体を弱めることができない。このため、例えば、応力逃げ部において応力を十分に吸収しきれない場合には、マスク側部と顔面との密着性が低下するおそれがある。
【０００５】
本発明は、このような技術課題を解決するためになされたものであって、装着時においてマスク本体部の側部と顔面との密着性を高めることができるマスクを提供することを目的とする。
【課題を解決するための手段】
【０００６】
すなわち本発明に係るマスクは、横方向にプリーツ加工が施されたマスク本体部と、前記マスク本体部の横方向の両端部それぞれに取り付けられる線状又は帯状の耳掛け部材と、を備え、前記耳掛け部材の一端部及び他端部は、装着時において当該耳掛け部材による引張力が前記マスク本体部の縦方向外側に作用するような所定間隔で取り付けられることを特徴として構成される。
【０００７】
本発明に係るマスクでは、耳掛け部材の一端部及び他端部は、装着時における当該耳掛け部材による引張力がマスク本体部の縦方向外側に作用するような所定間隔で取り付けられる。このように、耳掛け部材の一端部の取付位置と他端部の取付位置とが調整されて、装着時における当該耳掛け部材による引張力がマスク本体部の縦方向外側に作用する。このため、装着時において引張力がマスク本体部の縦方向内側へ作用することを回避することができるので、マスク本体部の横方向の端部において撓みを抑制することが可能となる。よって、装着時においてマスク本体部の側部と顔面との密着性を高めることができる。
【０００８】
ここで、前記耳掛け部材の一端部及び他端部は、装着時において装着者の耳の上付け根から当該耳掛け部材の一端部までの上部耳掛け部と装着者の耳の下付け根から当該耳掛け部材の他端部までの下部耳掛け部との間隔が前記マスク本体部に近づくにつれて小さくなるような前記所定間隔で取り付けられることが好適である。
【０００９】
このように構成することで、上部耳掛け部による引張力がマスク本体部の下方向に作用することを回避しつつ、下部耳掛け部による引張力がマスク本体部の上方向に作用することを回避できる。
【００１０】
また、本発明に係るマスクは、横方向にプリーツ加工が施されたマスク本体部と、前記マスク本体部の横方向の両端部それぞれに取り付けられる線状又は帯状の耳掛け部材と、を備え、前記耳掛け部材の一端部及び他端部は、前記マスク本体部の縦方向の両端部間よりも短い所定間隔で取り付けられることを特徴として構成される。
【００１１】
本発明に係るマスクでは、耳掛け部材の一端部及び他端部が、マスク本体部の縦方向の両端部間よりも短い所定間隔で取り付けられる。このように、耳掛け部材の一端部の取付位置と他端部の取付位置とが調整されて取り付けられることで、装着時における当該耳掛け部材による引張力のうち縦方向内側に作用する成分を抑制することができる。このため、マスク本体部の横方向の端部において撓みを抑制することが可能となる。よって、装着時においてマスク本体部の側部と顔面との密着性を高めることができる。
【００１２】
ここで、前記所定間隔は、装着者の耳の上下付け根の間の長さと同一、又は装着者の耳の上下付け根の間の長さよりも短くてもよい。また、前記所定間隔は、５ｃｍ以下であってもよい。なお、一般的な成人男性における耳の上下付け根の間の長さは、６ｃｍ程度であり、一般的な成人女性では５．５ｃｍである。
【００１３】
また、前記マスク本体部は、長方形の角部を斜めに切り取った六角形状のシート部材であってもよい。耳掛け部材の一端部の取付位置と他端部の取付位置との間隔を短くした場合、耳掛け部材の引張力がマスク本体部の角部領域に与える影響は小さくなるが、長方形の角部を斜めに切り取った六角形状のシート部材とすることで、マスク本体部の不必要な角部領域を無くすことができる。このため、装着感を高めることが可能となる。
【００１４】
また、前記マスク本体部は、長方形の角部を斜めに曲線的に切り取ったシート部材であることが好適である。このように構成することで、装着時においてマスク本体部の外周の曲線部分が顔面に沿って密着するため、装着感を一層高めることができる。
【発明の効果】
【００１５】
本発明によれば、装着時においてマスク本体部の側部と顔面との密着性を高めることができる。
【図面の簡単な説明】
【００１６】
【図１】本発明の第１実施形態に係るマスクの上面図である。
【図２】装着時の図１のマスクを説明する概要図である。
【図３】本発明の第２実施形態に係るマスクの上面図である。
【図４】装着時の図３のマスクを説明する概要図である。
【図５】従来のマスクの上面図である。
【図６】装着時の従来のマスクを説明する概要図である。
【発明を実施するための形態】
【００１７】
以下、添付図面を参照して本発明の実施形態について説明する。なお、図面の説明において同一の要素には同一の符号を付し、重複する説明を省略する。また、特に明示する場合を除き、上下方向は説明図面中の方向を示す。
【００１８】
（第１実施形態）
第１実施形態に係るマスクは、横方向にプリーツ加工が施された耳掛け式のマスクであって、例えば衛生マスク、花粉用マスク、防塵マスク、医療マスクとして好適に採用されるものである。図１は、本実施形態に係るマスクの折り畳んだ状態を示す上面図である。
【００１９】
図１に示すように、マスク１は、装着者の口部及び鼻部を覆うマスク本体部２を備えている。マスク本体部２は、略長方形状のシート部材であって、口部及び鼻部を十分覆うことができる大きさとされている。このため、マスク本体部２の縦方向（上下方向）の両端部２ｂ，２ｃ間の長さは、装着者の耳の付け根幅よりも長くされる。通常、両端部２ｂ，２ｃ間の長さは９ｃｍ〜９．５ｃｍである。マスク本体部２を構成する基材は、例えば不織布で形成され、通気性があるとともに塵、雑菌、花粉等を遮断する機能を有している。
【００２０】
マスク本体部２は、装着性の向上、装着時における息苦しさの解消や会話のしやすさ等を考慮して、プリーツ状に折り畳まれている。このプリーツ４は、長手方向（横方向）に沿って設けられた横プリーツであって、マスク本体部２の縦方向にシートが重なるように折り畳まれている。プリーツ４は、マスク本体部２の横方向の両端部２ａ，２ａ（両縁）まで延びるように形成されている。また、マスク本体部２は、周囲の縁が破線状に熱溶着又は超音波溶着されて固定されるとともに、縦方向の一端部２ｂに可撓性部材であるノーズフィット２０が挿入保持されている。
【００２１】
マスク本体部２の横方向の両端部２ａ，２ａには、装着者の耳に掛け渡すための耳掛け部材３が取り付けられている。耳掛け部材３は、線状（紐状）の弾性部材であって、その両端部３ａ，３ｂがマスク本体部２の両端部２ａに溶着又は縫製によって取り付けられている。耳掛け部材３としては、例えばゴムや弾性繊維材が用いられる。なお、耳掛け部材３の形状は、帯状であってもよい。
【００２２】
耳掛け部材３の両端部３ａ，３ｂの取付位置Ａ１，Ａ２は、マスク本体部２の上下隅の位置Ａ３，Ａ４（Ａ５，Ａ６）よりも中心側（縦方向内側）に寄せられている。すなわち、耳掛け部材３の両端部３ａ，３ｂの間隔Ｌ１は、マスク本体部２の縦方向の両端部２ｂ，２ｃ間より短くされている。間隔Ｌ１は、例えば、装着者の耳の上下付け根の間の長さと同一、又は装着者の耳の上下付け根の間の長さよりも短い間隔とされる。具体的には、５ｃｍ以下とされ、好ましくは３．５ｃｍ以下である。
【００２３】
図２は、装着時の図１のマスクを説明する概要図である。図２に示すように、耳掛け部材３，３が装着者の耳３０に掛け渡されて、マスク本体部２が顔面に固定される。そして、ノーズフィット２０がその形状を調整され、マスク本体部２の端部２ｂが鼻部に隙間なく密着される。そして、プリーツ４が縦方向に広げられることで口部及び鼻部を完全に覆うとともにマスク本体部２が前方に膨らんでマスク本体部２内側に空間が画成される。
【００２４】
耳掛け部材３の一端部３ａ及び他端部３ｂの間隔Ｌ１は、装着者の耳３０の上付け根３０ａ及び下付け根３０ｂの間隔Ｌ３（耳付け根幅）よりも短くされている。このため、装着時において、装着者の耳３０の上付け根３０ａから耳掛け部材３の一端部３ａまでの上部耳掛け部３ｃと、下付け根３０ｂから耳掛け部材３の他端部３ｂまでの下部耳掛け部３ｄとの間隔がマスク本体部２に近づくにつれて小さくなる。例えば、耳３０からマスク本体部２に向かうにつれて、上部耳掛け部３ｃと下部耳掛け部３ｄとの間隔がＬ３から除々に小さくなり間隔Ｌ２とされる。
【００２５】
上述のように、上部耳掛け部３ｃが耳掛け部材３の一端部３ａからみて上方向に延びて耳３０に掛け渡され、下部耳掛け部３ｄが耳掛け部材３の他端部３ｂからみて下方向に延びて耳３０に掛け渡される。このため、耳掛け部材３の上部耳掛け部３ｃの引張力Ｆは、マスク本体部２の縦方向外側（上側）への成分Ｆ１を有することとなる。同様に、耳掛け部材３の下部耳掛け部３ｄの引張力Ｆは、マスク本体部２の縦方向外側（下側）への成分Ｆ２を有することとなる。このため、マスク本体部２の横方向の端部２ａ（特に、耳掛け部材３の一端部３ａと他端部３ｂとの間）は、縦方向外側へ引っ張られるために張りつめた状態となる。このように、マスク１の装着時における耳掛け部材３による引張力がマスク本体部２の縦方向外側に作用するような間隔Ｌ１が採用されているため、装着時においてもマスク本体部２の端部２ａに弛み等が生じない。すなわち、装着前における耳掛け部材３の一端部３ａと他端部３ｂとの間隔Ｌ１と、装着時における耳掛け部材３の一端部３ａと他端部３ｂとの間隔Ｌ２とはほぼ同一となる。
【００２６】
ところで、従来の横プリーツ加工が施された耳掛け式のマスクは、図５に示すように、耳掛け部材３の両端部３ａ，３ｂの取付位置Ａ１，Ａ２が、マスク本体部２の上下隅近傍に設けられている。すなわち、耳掛け部材３の両端部３ａ，３ｂの間隔Ｌ４は、マスク本体部２の縦方向の幅、すなわちマスク本体部２の縦方向の両端部２ｂ，２ｃ間の幅とほぼ同一である。より具体的には、取付位置Ａ１，Ａ２間の間隔は、７ｃｍ〜８ｃｍである。従来のマスクを装着すると、耳掛け部材３の上部耳掛け部３ｃが耳掛け部材３の一端部３ａからみて下方向に延びて耳３０に掛け渡され、下部耳掛け部３ｄが耳掛け部材３の他端部３ｂからみて上方向に延びて耳３０に掛け渡される。そうすると、図６に示すように、耳掛け部材３の上部耳掛け部３ｃの引張力Ｆは、マスク本体部２の縦方向内側（下側）への成分Ｆ３を有することとなる。同様に、耳掛け部材３の下部耳掛け部３ｄの引張力Ｆは、マスク本体部２の縦方向内側（上側）への成分Ｆ４を有することとなる。このため、装着時において上部耳掛け部３ｃと下部耳掛け部３ｄとが略平行となるとともに、マスク本体部２の横方向の両端部２ａが撓んだ状態となる。すなわち、装着時における耳掛け部材３の一端部３ａと他端部３ｂとの間隔Ｌ５は、装着前における耳掛け部材３の一端部３ａと他端部３ｂとの間隔Ｌ４よりも短くなる。特に、横プリーツ加工が施されたマスクにあっては、プリーツ４が縦方向に広げられるため、マスク本体部２の横方向の両端部２ａが一層撓んだ状態となる。このため、マスク横方向から漏れが生じる。
【００２７】
これに対して、第１実施形態に係るマスク１によれば、耳掛け部材３の一端部３ａ及び他端部３ｂは、装着時における当該耳掛け部材３による引張力Ｆがマスク本体部２の縦方向外側に作用するような所定間隔Ｌ１で取り付けられる。このため、装着時において引張力がマスク本体部２の縦方向内側へ作用することを回避することができるので、マスク本体部２の横方向の端部２ａ，２ａにおいて撓みを抑制することが可能となる。すなわち、横プリーツ加工が施されたマスク１の装着時において、マスク本体部２の横方向の両端部２ａに作用する縦方向内側の応力を打ち消す方向に引張力Ｆを作用させることができる。さらに、耳掛け部材３自体がマスク本体部２へ与える縦方向内側への応力（引張力Ｆの縦方向内側成分）を低減させることが可能となる。よって、装着時においてマスク本体部２の側部と顔面との密着性を高めることができる。
【００２８】
また、第１実施形態に係るマスク１によれば、上部耳掛け部３ｃによる引張力がマスク本体部２の下方向に作用することを回避しつつ、下部耳掛け部３ｄによる引張力がマスク本体部２の上方向に作用することを回避できる。
【００２９】
さらに、第１実施形態に係るマスク１によれば、耳掛け部材３の一端部３ａ及び他端部３ｂが、マスク本体部２の縦方向の両端部２ｂ，２ｃ間よりも短い所定間隔Ｌ１で取り付けられる。このように、耳掛け部材３の一端部３ａの取付位置Ａ１と他端部３ｂの取付位置Ａ２とが調整されて取り付けられることで、装着時における当該耳掛け部材３による引張力Ｆのうち縦方向内側に作用する成分を抑制することができる。このため、マスク本体部２の横方向の端部２ａ，２ａにおいて撓みを抑制することが可能となる。よって、装着時においてマスク本体部の側部と顔面との密着性を高めることができる。
【００３０】
（第２実施形態）
第２実施形態に係るマスク１は、第１実施形態に係るマスク１とほぼ同様に構成されており、マスク本体部２の形状のみが相違する。よって、第２実施形態では第１実施形態との相違点を中心に説明し、重複する説明は省略する。
【００３１】
図３は、本実施形態に係るマスクの折り畳んだ状態を示す上面図である。図３に示すように、本実施形態に係るマスク１は、図１の略長方形のマスク本体部２の角部を斜めに切り取った略六角形状のマスク本体部２を備えている。その他の構成は第１実施形態と同様である。
【００３２】
図４は、装着時の図３のマスクを説明する概要図である。図４に示すように、第２実施形態に係るマスク１は、第１実施形態に係るマスク１と同様に、耳掛け部材３の引張力がマスク本体部２の縦方向外側に働くため、マスク本体部２の横方向の端部２ａに緩みが生じない。さらに、耳掛け部材３の一端部３ａと他端部３ｂとの間隔を短くすることによって、図１のような長方形のマスク本体部２の場合、長方形のマスク本体部２の上下隅側を押さえる力が弱くなり、着用感が低下することも考えられるが、マスク本体部２を略六角形状とすることで、不必要な部分を排除して着用感を向上させることができる。
【００３３】
以上、第２実施形態に係るマスク１によれば、第１実施形態に係るマスク１と同様の効果を奏するとともに、耳掛け部材３の一端部３ａの取付位置Ａ１と他端部３ｂの取付位置Ａ２との間隔を短くした場合、耳掛け部材３の引張力がマスク本体部２の角部領域に与える影響は小さくなるので、装着感が低下するおそれがあるが、マスク本体部２を略長方形の角部を斜めに切り取った略六角形状のシート部材とすることで、マスク本体部２の不必要な角部領域を無くすことができる。このため、装着感を高めることが可能となる。
【００３４】
なお、上述した実施形態は本発明に係るマスクの一例を示すものである。本発明に係るマスクは、各実施形態に係るマスク１に限られるものではなく、各請求項に記載した要旨を変更しない範囲で、各実施形態に係るマスクを変形し、又は他のものに適用したものであってもよい。
【００３５】
例えば、第２実施形態に係るマスク１は、マスク本体部２の斜めの端部２ｄとなる縁部分が直線的に形成されているが、曲線的に形成されてもよい。このように形成されることで、曲線的な顔にマスク本体部２を密着させることができるので装着感を一層高めることが可能となる。
【符号の説明】
【００３６】
１…マスク、２…マスク本体部、３…耳掛け部材、４…プリーツ、３ａ，３ｂ…耳掛け部材端部、３ｃ…上部耳掛け部、３ｄ…下部耳掛け部。
【図１】
2011182810.tif 000003
【図２】
2011182810.tif 000004
【図３】
2011182810.tif 000005
【図４】
2011182810.tif 000006
【図５】
2011182810.tif 000007
【図６】
2011182810.tif 000008